(57)【要約】【課題】  複数のコネクタを有するカテーテルを簡単に固定することができるスタイレット及びそのスタイレットを備えたカテーテル収納体、さらには、カテーテル収納体からカテーテルを離脱するときに、カテーテルを容易に離脱できるようにし、また、スタイレットをカテーテルから抜去することなく、生理食塩水等の液体をカテーテルの先端からフラッシュすることができるようにしたスタイレット及びそのスタイレットを備えたカテーテル収納体を提供する。【解決手段】  スタイレット１は、基部３と、基部３の一端部３ａに接続され一の方向に延びる枝部５と、基部３の他端部３ｂに接続され一の方向に延びる枝部７とを備えているので、２つのルーメンを有するカテーテルにおいても、基部３を把持して簡単にカテーテルに挿入することができ、カテーテルの剛性を補強すると共に、カテーテルのキンクを防止することができる。【選択図】  図１
2019126536.tif 000002
【特許請求の範囲】
【請求項１】
一端部及び他端部を有する基部と、
前記基部の一端部に接続され、一の方向に延びる第１の枝部と、
前記基部の他端部に接続され、前記一の方向に延びる第２の枝部と、を備えたことを特徴とするスタイレット。
【請求項２】
前記基部の前記一端部と前記他端部との間に接続され、前記一の方向に延びる少なくとも１つの第３の枝部をさらに備えたことを特徴とする請求項１に記載のスタイレット。
【請求項３】
前記基部は、第１のルーメンを有する管状部材から構成され、
前記枝部は、前記第１のルーメンに連通する第２のルーメンを有する管状部材から構成され、
前記基部には、前記第１のルーメンに連通する開口部が設けられていることを特徴とする請求項１または請求項２に記載のスタイレット。
【請求項４】
各基端が離間した複数のコネクタを、有するカテーテルを収納可能な管状のホルダーと、
各コネクタのルーメンに前記枝部を挿入可能な請求項１乃至請求項３の何れかに記載のスタイレットと、
を備え、
前記ホルダーには、前記コネクタを保持せず、前記スタイレットを保持するクリップが固定されていることを特徴とするカテーテル収納体
【発明の詳細な説明】
【技術分野】
【０００１】
本発明は、カテーテル内に挿入して、カテーテルの形状を安定させるスタイレット及びそのスタイレットを備えたカテーテル収納体に関する。
【背景技術】
【０００２】
従来、診断や治療に使用されるカテーテルを保管する際に、カテーテルのルーメン内に挿通されるスタイレットが知られている。
【０００３】
例えば、特許文献１には、バルーンカテーテルを保管する際に、バルーンカテーテルのガイドワイヤルーメン内に挿通されるスタイレットが記載されており、特に、製造コストの削減及び製造作業の簡易化を図る為に改良されたスタイレットが記載されている（図４〜図８等参照）。
【先行技術文献】
【特許文献】
【０００４】
【特許文献１】特開２０１６−１６８２７２号公報
【発明の概要】
【発明が解決しようとする課題】
【０００５】
しかしながら、特許文献１に記載のスタイレットは、何れも１つのガイドワイヤルーメンに対応して改良されたものであって、最近の手技によく使用されている複数のコネクタを有するカテーテルに対して使用する場合には、複数のスタイレットを使用しなければならないという問題があった。
【０００６】
また、かかる複数のコネクタを有するカテーテルを保持する際には、各々のコネクタが各々の重さによってバラバラに垂れ下がってしまうことが多い為、従来のスタイレットを使用した場合には、それらのコネクタを固定する作業が非常に煩雑となっていた。
【０００７】
また、カテーテルが収納されたカテーテル収納体からカテーテルを離脱するときにも、カテーテルを容易に離脱できるようにすることが望ましい。
【０００８】
本発明は、従来技術が有する上述した問題に対応してなされたものであり、複数のコネクタを有するカテーテルを簡単に固定することができるスタイレット及びそのスタイレットを備えたカテーテル収納体、さらには、カテーテル収納体からカテーテルを離脱するときに、カテーテルを容易に離脱できるようにし、また、スタイレットをカテーテルから抜去することなく、生理食塩水等の液体をカテーテルの先端からフラッシュすることができるようにしたスタイレット及びそのスタイレットを備えたカテーテル収納体を提供することを目的とする。
【課題を解決するための手段】
【０００９】
上述した課題を解決するために、本発明の第１の態様のスタイレットは、一端部及び他端部を有する基部と、前記基部の一端部に接続され、一の方向に延びる第１の枝部と、前記基部の他端部に接続され、前記一の方向に延びる第２の枝部と、を備えたことを特徴とする。
【００１０】
また、本発明の第２の態様は、第１の態様のスタイレットにおいて、前記基部の前記一端部と前記他端部との間に接続され、前記一の方向に延びる少なくとも１つの第３の枝部をさらに備えたことを特徴とする。
【００１１】
また、本発明の第３の態様は、第１の態様または第２の態様のスタイレットにおいて、前記基部は、第１のルーメンを有する管状部材から構成され、前記枝部は、前記第１のルーメンに連通する第２のルーメンを有する管状部材から構成され、前記基部には、前記第１のルーメンに連通する開口部が設けられていることを特徴とする。
【００１２】
さらに、本発明の第４の態様は、各基端が離間した複数のコネクタを、有するカテーテルを収納可能な管状のホルダーと、各コネクタのルーメンに前記枝部を挿入可能な第１の態様乃至第３の態様の何れかに記載のスタイレットと、を備え、前記ホルダーには、前記コネクタを保持せず、前記スタイレットを保持するクリップが固定されていることを特徴とするカテーテル収納体である。
【発明の効果】
【００１３】
本発明の第１の態様のスタイレットは、一端部及び他端部を有する基部と、基部の一端部に接続され一の方向に延びる第１の枝部と、基部の他端部に接続され一の方向に延びる第２の枝部と、を備えているので、２つのルーメンを有するカテーテルにおいても、基部を把持して簡単にカテーテルに挿入し、カテーテルの剛性を補強すると共に、カテーテルのキンクを防止することができる。
【００１４】
また、本発明の第２の態様のスタイレットは、第１の態様のスタイレットにおいて、基部の一端部と他端部との間に接続され、一の方向に延びる少なくとも１つの第３の枝部をさらに備えているので、３つ以上のルーメンを有するカテーテルにおいても、基部を把持して簡単にカテーテルに挿入し、カテーテルの剛性を補強すると共に、カテーテルのキンクを防止することができる。
【００１５】
また、本発明の第３の態様のスタイレットは、第１の態様または第２の態様に記載のスタイレットにおいて、基部は、第１のルーメンを有する管状部材から構成され、前記枝部は、第１のルーメンに連通する第２のルーメンを有する管状部材から構成され、基部には、第１のルーメンに連通する開口部が設けられているので、第１の態様または第２の態様に記載のスタイレットの効果に加え、開口部にシリンジを接続し、開口部を介して生理食塩水等の液体をカテーテル内に注入することができ、スタイレットを取り外すことなく、複数のルーメンを有するカテーテルをカテーテル収納体から取り出し易くすることができ、さらには、スタイレットをカテーテルから抜去することなく、生理食塩水等の液体を、スタイレットの第１のルーメンから第２ルーメンを通じて、カテーテルからフラッシュすることができる。
【００１６】
さらに、本発明の第４の態様のカテーテル収納体は、各基端が離間した複数のコネクタを、有するカテーテルを収納可能な管状のホルダーと、各コネクタのルーメンに枝部を挿入可能な第１の態様乃至第３の態様の何れかに記載のスタイレットと、を備え、ホルダーには、コネクタを保持せず、スタイレットを保持するクリップが固定されているので、カテーテルの剛性を補強して、カテーテル端部の折れ曲がりを防止するとともに、複数のコネクタを１つのスタイレットによってホルダーに簡単に固定することができる。
【図面の簡単な説明】
【００１７】
【図１】本発明の第１実施形態のスタイレットの正面図である。
【図２】第１実施形態のスタイレットの右側面図である。
【図３】第２実施形態のスタイレットの正面図である。
【図４】第２実施形態のスタイレットの右側面図である。
【図５】第３実施形態のスタイレットの正面図である。
【図６】第３実施形態のスタイレットの縦断面図である。
【図７】第４実施形態のスタイレットの正面図である。
【図８】第４実施形態のスタイレットの縦断面図である。
【図９】第５実施形態のカテーテル収納体の全体図である。
【図１０】第６実施形態のカテーテル収納体の全体図である。
【発明を実施するための形態】
【００１８】
以下、本発明の実施形態について、図面を参照して説明する。
【００１９】
（第１実施形態）
先ず、本発明の第１実施形態について説明する。図１は、本発明の第１実施形態のスタイレットの正面図であり、図２は、第１実施形態のスタイレットの右側面図である。
【００２０】
なお、本実施形態に使用する図面は、理解を容易にするために誇張して表現されており、その寸法は実際の寸法とは異なる。例えば、本実施形態及び後述する他の実施形態におけるスタイレットは長尺状のものであり、後述する枝部の長さがある程度長いものであるが、図面サイズの関係上枝部の長さは短く記載されている。
【００２１】
また、本実施形態及び後述する他の実施形態における各枝部は、図面上、同一方向かつ直線状に延びるように記載されているが、各枝部は、各々上述したように長尺状のものであり、同一方向かつ直線状に延びる場合のみならず、基部に対してねじれの位置関係をもって延びるものであっても良く、枝部自体がある程度畝状に延びるものであっても良い。
【００２２】
したがって、本発明の「一の方向に延びる枝部」とは、各枝部が同一方向かつ直線状に延びる場合のみならず、各枝部が基部を含む仮想平面に対して一方の方向に延びる状態を含む広い意味である。
【００２３】
図１に示すように、本実施形態のスタイレット１は、両端部３ａ及び３ｂを有する基部３と、基部３の端部３ａに接続されて所定の方向に延びる枝部５（本発明の「第１の枝部」に相当）と、基部３の端部３ｂに接続されて所定の方向に延びる枝部７（本発明の「第２の枝部」に相当）とから構成されている。
【００２４】
また、図２に示すように、本実施形態のスタイレット１における基部３、枝部５及び枝部７は、断面円形の棒体から構成されている。なお、基部３、枝部５及び枝部７は、断面円形である必要はなく、断面矩形状でも良く、断面多角形状でも良く、断面楕円形状でも良いが、湾曲する方向の柔軟性を考慮すれば、断面円形の方がより良い。
【００２５】
スタイレット１の材料は特に限定されない。例えば、ステンレス、ニッケルチタン合金、金、プラチナ、イリジウム、プラチナ−イリジウム合金、コバルトクロム合金、タングステン、チタン等の金属でも良く、仕様を満たすものであれば樹脂であっても良い。なお、本実施形態では、ステンレスが使用されている。
【００２６】
本実施形態のスタイレット１は、端部３ａ及び端部３ｂを有する基部３と、基部３の端部３ａに接続されて所定の方向に延びる枝部５と、基部３の端部３ｂに接続されて所定の方向に延びる枝部７とを備えているので、２つのコネクタを有するカテーテルにおいても、枝部５及び枝部７を２つのコネクタに挿入させることにより、カテーテル１を簡単に固定することができ、カテーテル１の剛性を補強すると共に、カテーテル１の保管中におけるカテーテル１のキンクを防止することができる。
【００２７】
なお、本実施形態の図１において、枝部５の長さが枝部７の長さよりも長く記載されているが、それに限られず、枝部５及び枝部７の長さは任意に設定可能である。
【００２８】
（第２実施形態）
次に、本発明の第２実施形態について説明する。図３は、第２実施形態のスタイレットの正面図であり、図４は、第２実施形態のスタイレットの右側面図である。
【００２９】
なお、本実施形態に使用する図面も、理解を容易にするために誇張して表現されており、その寸法は実際の寸法とは異なる。
【００３０】
図３に示すように、本実施形態のスタイレット１０は、両端部１３ａ及び１３ｂを有する基部１３と、基部１３の端部１３ａに接続されて所定の方向に延びる枝部１５（本発明の「第１の枝部」に相当）と、基部１３の端部１３ｂに接続されて所定の方向に延びる枝部１７（本発明の「第２の枝部」に相当）と、端部１３ａと端部１３ｂとの間に接続され所定の方向に延びる枝部１９（本発明の「第３の枝部」に相当）とから構成されている。
【００３１】
また、図４に示すように、本実施形態のスタイレット１０おける基部１３、枝部１５、枝部１７及び枝部１９は、断面円形の棒体から構成されている。なお、基部１３、枝部１５、枝部１７及び枝部１９は、断面円形である必要はなく、断面矩形状でも良く、断面多角形状でも良く、断面楕円形状でも良いが、湾曲する方向の柔軟性を考慮すれば、断面円形の方がより良い。
【００３２】
スタイレット１０の材料は特に限定されず、スタイレット１の材料と同様であり、本実施形態では、ステンレスが使用されている。
【００３３】
本実施形態のスタイレット１０は、端部１３ａ及び端部１３ｂを有する基部１３と、基部１３の端部１３ａに接続されて所定の方向に延びる枝部１５と、基部１３の端部１３ｂに接続されて所定の方向に延びる枝部１７と、端部１３ａと端部１３ｂとの間に接続され所定の方向に延びる枝部１９とを備えているので、３つのコネクタを有するカテーテルにおいても、枝部１５、枝部１７及び枝部１９を３つのコネクタに挿入させることにより、カテーテル１０を簡単に固定することができ、カテーテル１０の剛性を補強すると共に、カテーテル１０の保管中におけるカテーテル１０のキンクを防止することができる。
【００３４】
なお、本実施形態において、枝部１９は１本設けられたものとして説明してきたが、枝部１９は、端部１３ａと端部１３ｂとの間に何本設けられても良く、カテーテルが有するコネクタの数に合わせて設けられることが可能である。
【００３５】
例えば、４つのコネクタを有するカテーテルの場合には、枝部１９を２本設ければ良く、６つのコネクタを有するカテーテルの場合には、枝部１９を４本設ければ良い。
【００３６】
また、本実施形態では、枝部１９の長さが最も長く、続いて枝部１５、そして枝部１７の長さが最も短く記載されているが、それに限られず、枝部１５、枝部１７及び枝部１９の長さは任意に設定可能である。
【００３７】
（第３実施形態）
次に、本発明の第３実施形態について説明する。図５は、第３実施形態のスタイレットの正面図であり、図６は、第３実施形態のスタイレットの縦断面図である。
【００３８】
なお、本実施形態に使用する図面も、理解を容易にするために誇張して表現されており、その寸法は実際の寸法とは異なる。
【００３９】
図５に示すように、本実施形態のスタイレット２０は、両端部２３ａ及び２３ｂを有する基部２３と、基部２３の端部２３ａに接続されて所定の方向に延びる枝部２５（本発明の「第１の枝部」に相当）と、基部２３の端部２３ｂに接続されて所定の方向に延びる枝部２７（本発明の「第２の枝部」に相当）と、基部２３に設けられた把持部２１とから構成されている。
【００４０】
また、図６に示すように、本実施形態のスタイレット２０における基部２３は、ルーメン２２（本発明の「第１のルーメン」に相当する）を有する管状部材から構成され、枝部２５は、ルーメン２２に連通するルーメン２４（本発明の「第２のルーメン」に相当する）を有する管状部材から構成され、枝部２７は、ルーメン２２に連通するルーメン２６（本発明の「第２のルーメン」に相当する）を有する管状部材から構成され、基部２３には、ルーメン２２に連通する開口部２３ｃが設けられている。
【００４１】
また、図６に示すように、把持部２１は、スタイレット２０を把持する為の部分であると同時に、シリンジ等を接続する為の部分でもあるため、開口部２３ｃに連通するルーメンを介して、シリンジ等を接続する為の接続部１２０を備える。
【００４２】
なお、本実施形態における基部２３、枝部２５、枝部２７及び把持部２１は、断面中空円形状である。しかしながら、基部２３、枝部２５、枝部２７及び把持部２１は、断面中空円形状である必要はなく、断面中空矩形状でも良く、断面中空多角形状でも良く、断面中空楕円形状でも良いが、湾曲する方向の柔軟性を考慮すれば、断面中空円形の方がより良い。
【００４３】
スタイレット２０の材料は特に限定されず、スタイレット１の材料と同様であり、本実施形態では、ステンレスが使用されている。
【００４４】
また、本実施形態のスタイレット２０は、端部２３ａ及び端部２３ｂを有する基部２３と、基部２３の端部２３ａに接続されて所定の方向に延びる枝部２５と、基部２３の端部２３ｂに接続されて所定の方向に延びる枝部２７とを備え、基部２３は、ルーメン２２を有する管状部材から構成され、枝部２５は、ルーメン２２に連通するルーメン２４を有する管状部材から構成され、枝部２７は、ルーメン２２に連通するルーメン２６を有する管状部材から構成され、基部２３には、ルーメン２２に連通する開口部２３ｃが設けられているので、開口部２３ｃに連通する接続部１２０にシリンジを接続し、開口部２３ｃを介して生理食塩水等の液体をカテーテル内に注入することができ、スタイレット２０を取り外すことなく、２つのルーメンを有するカテーテルへ生理食塩水等の液体を、スタイレット２０のルーメン２２からルーメン２４、２６を通じて、カテーテルからフラッシュすることができる。
【００４５】
なお、本実施形態の図６においても、枝部２５の長さが枝部２７の長さよりも長く記載されているが、それに限られず、枝部２５及び枝部２７の長さは任意に設定可能である。
【００４６】
（第４実施形態）
次に、本発明の第４実施形態について説明する。図７は、第４実施形態のスタイレットの正面図であり、図８は、第４実施形態のスタイレットの縦断面図である。
【００４７】
なお、本実施形態に使用する図面も、理解を容易にするために誇張して表現されており、その寸法は実際の寸法とは異なる。
【００４８】
図７に示すように、本実施形態のスタイレット３０は、両端部３３ａ及び３３ｂを有する基部３３と、基部３３の端部３３ａに接続されて所定の方向に延びる枝部３５（本発明の「第１の枝部」に相当）と、基部３３の端部３３ｂに接続されて所定の方向に延びる枝部３７（本発明の「第２の枝部」に相当）と、端部３３ａと端部３３ｂとの間に接続され所定の方向に延びる枝部３９（本発明の「第３の枝部」に相当）と、基部３３に設けられた把持部３１とから構成されている。
【００４９】
また、図８に示すように、本実施形態のスタイレット３０における基部３３は、ルーメン３２（本発明の「第１のルーメン」に相当する）を有する管状部材から構成され、枝部３５は、ルーメン３２に連通するルーメン３４（本発明の「第２のルーメン」に相当する）を有する管状部材から構成され、枝部３７は、ルーメン３２に連通するルーメン３６（本発明の「第２のルーメン」に相当する）を有する管状部材から構成され、枝部３９は、ルーメン３２に連通するルーメン３８（本発明の「第２のルーメン」に相当する）を有する管状部材から構成され、基部３３には、ルーメン３２に連通する開口部３３ｃが設けられている。
【００５０】
また、図８に示すように、把持部３１は、スタイレット３０を把持する為の部分であると同時に、シリンジ等を接続する為の部分でもあるため、開口部３３ｃに連通するルーメンを介して、シリンジ等を接続する為の接続部１３０を備える。
【００５１】
なお、本実施形態における基部３３、枝部３５、枝部３７、枝部３９及び把持部３１は、断面中空円形状である。しかしながら、基部３３、枝部３５、枝部３７、枝部３９及び把持部３１は、断面中空円形状である必要はなく、断面中空矩形状でも良く、断面中空多角形状でも良く、断面中空楕円形状でも良いが、湾曲する方向の柔軟性を考慮すれば、断面中空円形の方がより良い。
【００５２】
スタイレット３０の材料は特に限定されず、スタイレット１の材料と同様であり、本実施形態では、ステンレスが使用されている。
【００５３】
また、本実施形態のスタイレット３０は、端部３３ａ及び端部３３ｂを有する基部３３と、基部３３の端部３３ａに接続されて所定の方向に延びる枝部３５と、基部３３の端部３３ｂに接続されて所定の方向に延びる枝部３７と、端部３３ａと端部３３ｂとの間に接続され所定の方向に延びる枝部３９とを備え、基部３３は、ルーメン３２を有する管状部材から構成され、枝部３５は、ルーメン３２に連通するルーメン３４を有する管状部材から構成され、枝部３７は、ルーメン３２に連通するルーメン３６を有する管状部材から構成され、枝部３９は、ルーメン３２に連通するルーメン３８を有する管状部材から構成され、基部３３には、ルーメン３２に連通する開口部３３ｃが設けられているので、開口部３３ｃに連通する接続部１３０にシリンジを接続し、開口部３３ｃを介して生理食塩水等の液体をカテーテル内に注入することができ、スタイレット３０を取り外すことなく、３つのルーメンを有するカテーテルへ生理食塩水等の液体を、スタイレット３０のルーメン３２からルーメン３４、３６、３８を通じて、カテーテルからフラッシュすることができる。
【００５４】
なお、本実施形態において、枝部３９は１本設けられたものとして説明してきたが、枝部３９は、端部３３ａと端部３３ｂとの間に何本設けられても良く、カテーテルが有するコネクタの数に合わせて設けられることが可能である。
【００５５】
例えば、４つのコネクタを有するカテーテルの場合には、枝部３９を２本設ければ良く、６つのコネクタを有するカテーテルの場合には、枝部３９を４本設ければ良い。
【００５６】
また、本実施形態では、枝部３９の長さが最も長く、続いて枝部３５、そして枝部３７の長さが最も短く記載されているが、それに限られず、枝部３５、枝部３７及び枝部３９の長さは任意に設定可能である。
【００５７】
（第５実施形態）
次に、本発明の第５実施形態について説明する。図９は、第５実施形態のカテーテル収納体の全体図である。
【００５８】
なお、本実施形態に使用する図面も、理解を容易にするために誇張して表現されており、その寸法は実際の寸法とは異なる。
【００５９】
図９に示すように、本実施形態のカテーテル収納体４０は、離間した２つのコネクタ４５ａ及びコネクタ４５ｂを有するカテーテル４５を収納可能なホルダー４１と、コネクタ４５ａ及びコネクタ４５ｂの各コネクタのルーメンに枝部を挿入したスタイレット１と、ホルダー４１に第１固定部４３ｂによって固定され、コネクタ４５ａ及びコネクタ４５ｂを保持せず、スタイレット１を第２固定部４３ａによって保持するクリップ４３と、ホルダー４１を束ねる４つの固定具４７ａ，４７ｂ，４７ｃ及び４７ｄとから構成されている。
【００６０】
クリップ４３の材料は特に限定されないが、本実施形態では、ポリプロピレンが使用されている。
【００６１】
また、本実施形態のカテーテル収納体４０によれば、各基端が離間した離間した２つのコネクタ４５ａ及びコネクタ４５ｂを有するカテーテル４５を収納可能なホルダー４１と、コネクタ４５ａ及びコネクタ４５ｂの各コネクタのルーメンに枝部を挿入したスタイレット１と、を備え、ホルダー４１には、コネクタ４５ａ及びコネクタ４５ｂを保持せず、スタイレット１を保持するクリップ４３が固定されているので、カテーテル４５の剛性を補強して、カテーテル４５端部の折れ曲がりを防止するとともに、２つのコネクタ４５ａ及びコネクタ４５ｂを１つのスタイレット１によってホルダー４１に簡単に固定することができる。
【００６２】
（第６実施形態）
次に、本発明の第６実施形態について説明する。図１０は、第６実施形態のカテーテル収納体の全体図である。
【００６３】
なお、本実施形態に使用する図面も、理解を容易にするために誇張して表現されており、その寸法は実際の寸法とは異なる。
【００６４】
図１０に示すように、本実施形態のカテーテル収納体５０は、離間した３つのコネクタ５５ａ、コネクタ５５ｂ及びコネクタ５５ｃを有するカテーテル５５を収納可能なホルダー５１と、コネクタ５５ａ、コネクタ５５ｂ及びコネクタ５５ｃの各コネクタのルーメンに枝部を挿入したスタイレット３０と、ホルダー５１に第１固定部５３ｂによって固定され、コネクタ５５ａ、コネクタ５５ｂ及びコネクタ５５ｃを保持せず、スタイレット３０を第２固定部５３ａによって保持するクリップ５３と、ホルダー５１を束ねる４つの固定具５７ａ，５７ｂ，５７ｃ及び５７ｄとから構成されている。
【００６５】
クリップ５３の材料は特に限定されないが、クリップ４３と同様に、本実施形態では、ポリプロピレンが使用されている。
【００６６】
また、本実施形態のカテーテル収納体５０によれば、各基端が離間した離間した３つのコネクタ５５ａ、コネクタ５５ｂ及びコネクタ５５ｃを有するカテーテル５５を収納可能なホルダー５１と、コネクタ５５ａ、コネクタ５５ｂ及びコネクタ５５ｃの各コネクタのルーメンに枝部を挿入したスタイレット３０とを備え、ホルダー５１には、コネクタ５５ａ、コネクタ５５ｂ及びコネクタ５５ｃを保持せず、スタイレット３０を保持するクリップ５３が固定されているので、カテーテル５５の剛性を補強して、カテーテル５５端部の折れ曲がりを防止するとともに、３つのコネクタ５５ａ、コネクタ５５ｂ及びコネクタ５５ｃを１つのスタイレット３０によってホルダー５１に簡単に固定することができるとともに、基部には、基部に設けられたルーメンに連通する開口部が設けられているので、開口部に連通する接続部にシリンジを接続し、開口部を介して生理食塩水等の液体をカテーテル内に注入することができ、スタイレット３０を取り外すことなく、３つのルーメンを有するカテーテルへ生理食塩水等の液体を、スタイレット３０の基部に設けられたルーメンから各枝部に設けられたルーメンを通じて、カテーテルからフラッシュすることができる。
【符号の説明】
【００６７】
１，１０，２０，３０・・・スタイレット
３，１３，２３，３３・・・基部
５，７，１５，１７，１９，２５，２７，３５，３７，３９・・・枝部
２１，３１・・・把持部
２２，２４，２６，３２，３４，３６，３８・・・ルーメン
２３ｃ，３３ｃ・・・開口部
４０，５０・・・カテーテル収納体
４１，５１・・・ホルダー
４３，５３・・・クリップ
４５，５５・・・カテーテル
４５ａ，４５ｂ，５５ａ，５５ｂ，５５ｃ・・・コネクタ
１２０，１３０・・・接続部
【図１】
2019126536.tif 000003
【図２】
2019126536.tif 000004
【図３】
2019126536.tif 000005
【図４】
2019126536.tif 000006
【図５】
2019126536.tif 000007
【図６】
2019126536.tif 000008
【図７】
2019126536.tif 000009
【図８】
2019126536.tif 000010
【図９】
2019126536.tif 000011
【図１０】
2019126536.tif 000012